Podtech/llm-jp-corpus-v4-ja_patent huggingface dataset:
(57)【要約】      （修正有）【解決手段】毛抜きピンセット等の先端の摘み部分に沿って両内側にゴム又はシリコン樹脂を接着固定した。そのことにより広い範囲で容易に挟めて滑らないようにした。【効果】先端のつまみ部分にゴム又はシリコン樹脂を設ける事により広い範囲で確実に挟めるし又滑りにくい効果が得られた。毛抜きについては、一点に集中していた力が分散することにより安定感があり痛みも和らぎ毛が切れにくい効果を得られた。【選択図】図１
0003115712.tif 000002
【実用新案登録請求の範囲】
【請求項１】
毛抜きやピンセット等のように先端に毛や物品等を杷持するための把持具である、先端のつまみ部分の手前にゴムやシリコン樹脂のつまみ延長部を設ける。
【考案の詳細な説明】
【技術分野】
【０００１】
本発明は毛や物品等を滑らず容易に確実に把持するものである。
【背景技術】
【０００２】
従来の毛抜き等は毛の一点を強く挟むと毛が切れたり傷めたりした弱く挟むと毛が抜けずに滑って痛みを感じる事が多かった。ピンセット等は小さな物、挟みにくい形体の物、
滑りやすいものなど容易に挟めなかった。この改善策として図１［Ｂ］のようにけぬきピンセット等の先端の利用側にゴム、シリコン樹脂を設けることで広い範囲で挟み安定感を生みさらに滑りにくいこうかがある。
【０００３】
毛抜きについては、図１（１）のように先端部分で挟み、ゴム又はシリコン樹脂部分の広い範囲で挟み毛の一点に集中していた力が分散することにより安定感があり痛みも和らぐし、毛も切れにくい効果を得られる。白髪など長い毛はもちろん短い毛も容易に抜く事が出来る。
【特許文献１】特開平０９−２７６０３５
【考案の開示】
【考案が解決しようとする課題】
【０００４】
解決しょうとする問題点は、従来の毛抜き等は一点を挟むので毛が切れたり傷んだりした。しっかり挟まないと抜けずに滑って痛みを強く感じた。ピンセット等は小さい物、挟みにくい形体の物、滑りやすい物など容易に確実に挟めない点である。
【課題を解決するための手段】
【０００５】
本発明は毛抜き、ピンセット等の先端のつまみ部分に沿って両内側にゴム、又はシリコン樹脂を接着固定した。
【考案の効果】
【０００６】
先端のつまみ部分にゴム又はシリコン樹脂を設ける事により広い範囲で確実に挟めるし又滑りにくい効果が得られた。毛抜きについては、一点に集中していた力が分散することにより安定感があり痛みも和らぎ毛が切れにくい効果を得られた。白髪など長い毛はもちろん短い毛も容易に抜く事が出来る。
【考案を実施するための最良の形態】
【０００７】
毛抜き、ピンセット等の先端のつまみ部分に沿って両内側にゴム又はシリコン樹脂を接着固定したゴム、シリコン樹脂は適当な弾力と硬度を持たせた。広い範囲で挟む事により安定感を生み滑りにくい。
【実施例】
【０００８】
図１（Ａ）は、本発明装置の実施例の断面図であって、先端のつまみ部分とゴム又はシリコン樹脂部分を使う事により広い範囲で毛を挟み抜くことが出来る。
【図面の簡単な説明】
【０００９】
【図１】（Ａ）は毛抜きの実施方法を示した説明図であり（実施例）、（Ｂ）は正面図である。
【符号の説明】
【００１０】
１  先端のつまみ
２  ゴム又はシリコン樹脂
３  毛
４  ハンドル
【図１】
0003115712.tif 000003
【手続補正書】
【提出日】平成17年7月16日(2005.7.16)
【手続補正１】
【補正対象書類名】実用新案登録請求の範囲
【補正対象項目名】全文
【補正方法】変更
【補正の内容】
【実用新案登録請求の範囲】
【請求項１】
毛抜やピンセット等のように先端に毛や物品等を把持するための把持具において、先端のつまみ部分の手前にゴムやシリコン樹脂のつまみ延長部を設けたことを特徴とする把持具。
(57)【要約】      （修正有）【課題】卵の殻に変なきれつをいれない割れ方で割ることにより、手や、テーブル、台、床などを、汚さないようにする、又、割る衝撃にたえられる素材であり形態である。さらに、清浄が容易で、経済的に製作しやすいシンプルな形態であることが望ましいものを提供する。【解決手段】サンカク１は、正三角柱の形態であり、角も面も、同じため衝撃に対して、どの角でも安定した割れぐあいとなる。きれつも一直線となり、手や、テーブル、床などの、汚れがすくなくなる。さらに、器に殻が入ったり、黄みが割れたりすることが、少くなくなることで、作業効率が上がる。又、形態もシンプルなため清浄もしやすく製作しやすい経済的なものとなっている。そして、素材は金属類、セラミックス類、プラスチック類など、硬化な素材であれば衝撃に十分たえられるものを使うことで、問題を解決できる。【選択図】図１
0003115715.tif 000002
【実用新案登録請求の範囲】
【請求項１】
卵の殻を正確に二つに割るための道具の形状および、その強度を保つための素材と、衛生的で、経済的な形態を特徴とする卵を割る道具。
【考案の詳細な説明】
【技術分野】
【０００１】  本考案は、卵の殻を効率よく正確に二つに割り、衛生的、安定した使いごこちを保つための強度、経済的な形態の、卵割り道具に関するものである。
［背景技術］【０００２】  一般家庭や飲食店でも、卵を割るため衝撃を当えた時に、変にきれつが入ると、殻からみが出にくく、手に付いたりその手に付いたみが器に入ることや、その器の外にみや殻が飛びちり器のみならずその器を置いてあるテーブル等や、その下の床までが汚れてしまい不衛生となる。さらに、器に殻が入ると、それを取りのぞく作業が増え作業効率が悪い。
［考案の開示］
［考案が解決しようとする課題］【０００３】  卵を割るため衝撃を当えた時に不規則なきれつが入らない道具であること。又、どんな所でも使えるようコンパクトで、清浄がしやすく衛生的であり、安定して使えるよう強度があり、経済的なものにしなければならない課題を解決しようとするものである。
［課題を解決するための手段］【０００４】  卵を割るため衝撃を当える角は、不規則なきれつが入らないよう一直線上の角であるものにする。そして、衛生的にするために清浄しやすく、経済的にするため製造がしやすい、シンプルな形状にする。さらに、安定した使いごこちを保つために衝撃に強い形状で強い素材にすることで課題を解決できる。
［考案の効果］【０００５】  本考案は、三角柱であるため、角が一直線上で不規則なきれつが入らない。そのため卵のみが器にきれいに落せるので、手や、器、テーブル等、床に、みや殻が飛びちったり付着することが、少くなくなり衛生的となる。又、器に殻が入いりにくく取りのぞく作業がなくなり作業効率が良くなる。
［考案の実施するための最良の形態］【０００６】  卵を割るため一直線上の角があり、卵をぶつけた時に揺れたりしないよう安定していることが大切である。そのため本考案は、三角柱の形態となっているが、これは、どの面が下にきても安定してくる。又、角度が同じであることは、同じ割れ具合であり、使い勝手も安定する。つまり、正三角柱がもっとも適した形態となる。そして、素材は卵の殻に堪えられる素材が必要となり、金属類、セラミックス類、プラスチック類等など、硬化な素材が適当である。さらに、シンプルな形状なため清浄しやすく、製造が容易なため経済的に出来る。
［実施例］【０００７】  以下、添付図面に従って一実施例を説明しま。図１は、安定した台などに置かれた本考案のサンカクに、上方より卵をぶつけようとしている図であり、図２は、ぶつかった時の側面図である。ほぼ中心にぶつけて割るのが望ましい。
【図面の簡単な説明】
【０００８】［図１］本考案サンカクの一実施例を示す立体図である。
［図２］本考案サンカクの一実施例を示す側面図である。
【符号の説明】
【０００９】１．サンカク本体
２．卵
３．きれつ
【図１】
0003115715.tif 000003
【図２】
0003115715.tif 000004
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
［書類名］実用新案登録請求の範囲
［請求項１］
正三角柱の形状で、その角に卵をぶつけて卵を割る道具。
(57)【要約】【課題】鉛蓄電池に発生するサルフェーションで鉛蓄電池の寿命が短縮されるため、サルフェーションを分解除去する装置が開発されている。しかし、鉛蓄電池を要する機器の小型化、過密化により外付けでサルフェーション分解除去装置を設置することが困難である。設置問題を解決すべく分解除去装置と一体化された鉛蓄電池を提供する。【解決手段】  サルフェーション分解除去装置であるパルス状の電圧印加手段を鉛蓄電池に組込み一体化構造とした。すなわち、周縁が平板状絶縁部材で包囲された外部電極を有する鉛蓄電池にて、平板状絶縁部材に凹部を形成し、該凹部に外部電極に対しパルス状の電圧を印加する手段を嵌合した鉛蓄電池。【選択図】図３
0003115359.tif 000002
【実用新案登録請求の範囲】
【請求項１】
周縁が平板状絶縁部材で包囲された外部電極を有する鉛蓄電池にて、
平板状絶縁部材に凹部を形成し、該凹部に外部電極に対しパルス状の電圧を印加する手段を嵌合した鉛蓄電池
【請求項２】
凹部が、パルス状の電圧印加手段の本体を嵌合する第一の凹部と、
パルス状の電圧印加手段本体と外部電極の正極を電気的に接続する配線および
パルス状の電圧印加手段本体と外部電極の負極を電気的に接続する配線を嵌合する第二の凹部とからなり、
第一の凹部と第二の凹部とが連結され、第一の凹部の深さが第二の凹部よりも深いものである
請求項１の鉛蓄電池
【請求項３】
パルス状の電圧印加手段のパルス状電気エネルギーによって、外部電極に電気的に接続された
電解液中の電極にサルフェーション現象で形成される非伝導性の硫酸鉛（ＰｂＳＯ4）皮膜を分解し除去する
請求項１または請求項２の鉛蓄電池。
【考案の詳細な説明】
【技術分野】
【０００１】
本考案は、電解液中の電極にサルフェーション現象で形成される非伝導性の硫酸鉛（ＰｂＳＯ4）皮膜を分解し除去するエネルギーを付与するパルス状の電圧を印加する手段を搭載した鉛蓄電池に関する。
【背景技術】
【０００２】
鉛蓄電池において、電極に形成されるサルフェーションが電池寿命を短縮させる問題がある。サルフェーションとは、鉛蓄電池の放電によって生成する硫酸鉛（ＰｂＳＯ4）が、放電条件や放置されるときの周囲温度の上下、振動等によって電解液中の電極板上に析出し、次第に成長して不導体皮膜を形成する現象である。これによって内部抵抗が増大し、出力電圧が低下して短期間に使用不能になる。
【０００３】
硫酸鉛皮膜の成長阻止の為には、放電条件、温度、振動等を細心の注意を持って管理する必要がある。しかしながら、実際に使用者が絶えずこのような注意をはかることは極めて困難である。よって、パルス状の電圧を外部電極から常時印加するようにし、パルス状電気エネルギーにて硫酸鉛（ＰｂＳＯ4）皮膜を常に分解除去して大きく成長させないことで問題解決する技術が開発されている。
【０００４】
たとえば、WO 2004/030138、WO 2004/030137に記載された鉛電池に生ずる硫酸鉛皮膜の方法と装置が、こういった公知技術である。かかる電気エネルギー源は鉛蓄電池自体から得られるので、鉛蓄電池の外部電極にパルス状電気エネルギー発生器を接続すればよい。こうすれば、パルス状の電圧が外部電極から常時印加される。
【０００５】
【特許文献１】WO 2004/030138
【特許文献２】WO 2004/030137
【考案の開示】
【考案が解決しようとする課題】
【０００６】
パルス状電気エネルギー発生器を鉛蓄電池に接続する際に以下の問題がある。たとえば、自動二輪用の小型鉛蓄電池にて、外付けでパルス状電気エネルギー発生器を設置しようとしても、設置スペースが限られ設置困難で、かろうじて設置しても、発生器脱落の恐れがある。自動二輪用に限らず、鉛蓄電池を要する機器は小型化され、内装される部品群が過密化されており、同様の問題がある。本考案は、鉛蓄電池とパルス状電気エネルギー発生器の構成を最適化し、設置スペースの問題を解決することを目的とする。
【課題を解決するための手段】
【０００７】
パルス状電気エネルギー発生器を鉛蓄電池近傍に設置するには鉛蓄電池自体に嵌合され一体化された構成がよい。そこで本考案では、周縁が平板状絶縁部材で包囲された外部電極を有する鉛蓄電池を対象とし、平板状絶縁部材に凹部を形成し、該凹部に外部電極に対しパルス状の電圧を印加する手段（パルス状電気エネルギー発生器）を嵌合した。
【０００８】
平板状絶縁部材の絶縁耐力にて、凹部の形成、および、パルス状電気エネルギー発生器の配設で絶縁破壊の問題が生じないよう設計することが必要である。パルス状電気エネルギー発生器の回路を半導体機器で小型化すれば、実用的な鉛蓄電池に適用するパルス状電気エネルギー発生器の厚みを２ｃｍ以下に薄くできる。また、パルス状電気エネルギー発生器の筐体を絶縁性の高い材料とすればよい。これらの工夫を考慮して設定し、絶縁破壊の問題が生じない２ｃｍ以下の深さの凹部を平板状絶縁部材に形成し、そこにパルス状電気エネルギー発生器を嵌合すればよい。
【考案の効果】
【０００９】
鉛蓄電池とパルス状電気エネルギー発生器の構成を最適化し設置スペースの問題が解決でき、電極に形成されるサルフェーション形成がパルス状電気エネルギーで抑制され電池寿命の短縮を防止できる。
【考案を実施するための最良の形態】
【００１０】
図１から図３が本考案の鉛蓄電池の図である。  周縁が平板状絶縁部材（７）で包囲された外部電極（３）を有する鉛蓄電池（１）にて、平板状絶縁部材（７）に凹部（６）を形成し、該凹部（６）に外部電極（３）に対しパルス状の電圧を印加する手段を嵌合した鉛蓄電池である。
【００１１】
図３に示すように、凹部（６）が、パルス状の電圧印加手段の本体を嵌合する第一の凹部（６１）と、パルス状の電圧印加手段本体と外部電極の正極・負極（３）を電気的に接続する配線（４）を嵌合する第二の凹部（６２）とからなり、第一の凹部（６１）と第二の凹部（６２）とが連結され、第一の凹部の深さが第二の凹部よりも深いものである。電気的に接続する配線（４）の端部のコネクタ（５）で（４）と（３）が結合される。なお、安全のため防爆栓（８）が設けられている。
【図面の簡単な説明】
【００１２】
【図１】本考案の鉛蓄電池の上方から見た平面図
【図２】本考案の鉛蓄電池の側面図で、その一部に断面を示す
【図３】本考案の鉛蓄電池の斜視図で、パルス状の電圧を印加する手段を凹部に嵌合する状況を示す
【符号の説明】
【００１３】
１  鉛蓄電池
２  パルス状の電圧を印加する手段（パルス状電気エネルギー発生器）
３  １の外部電極
４  ２と３を電気的に接続する配線
５  ４と３を結合するコネクタ
６  平板状絶縁部材に形成した凹部
７  平板状絶縁部材
８  防爆栓
６１  第一の凹部
６２  第二の凹部
【図１】
0003115359.tif 000003
【図２】
0003115359.tif 000004
【図３】
0003115359.tif 000005
(57)【要約】【課題】  この考案は、ブレスレットの嫌いな男性であっても、容易に装着でき、また、他のチップを自由に選択でき、しかも、そのチップの個数も選択して使用できる時計バンドを開発・提供することにある。【解決手段】  時計バンド（Ｘ）において、該バンドの中間ジョイント部分（１）の裏側に、それぞれ穴（２）を穿設し、該穴（２）に連続して接着剤溜まり（２ａ）を形成し、穴（２）内に、トルマリン、チタン、ゲルマニウム等のチップ（Ｙ）をはめ込み、接着剤（Ｚ）を塗布して、バンドの中間ジョイント部分（１）に固着することを特徴とする時計バンドから構成される。【選択図】        図１
0003115352.tif 000002
【実用新案登録請求の範囲】
【請求項１】
時計バンド（Ｘ）において、該バンドの中間ジョイント部分（１）の裏側に、それぞれ穴（２）を穿設し、該穴（２）に連続して接着剤溜まり（２ａ）を形成し、穴（２）内に、トルマリン、チタン、ゲルマニウム等のチップ（Ｙ）をはめ込み、接着剤（Ｚ）を塗布して、バンドの中間ジョイント部分（１）に固着することを特徴とする時計バンド。
【請求項２】
穴（２）が、トルマリン、チタン、ゲルマニウム等のチップ（Ｙ）に適合し、かつ、接着剤溜まり（２ａ）と二段の穴に形成されていることを特徴とする請求項１記載の時計バンド。
【考案の詳細な説明】
【技術分野】
【０００１】
この考案は、時計バンドに関するものである。
【背景技術】
【０００２】
従来、時計バンドは、時計を腕に固定するためのベルトであり、その素材には、皮革製、布製、金属製等のものがある。
【０００３】
そして、近年、トルマリン、チタン、ゲルマニウム、その他が埋め込まれているブレスレットは大変、高価であって、また、一部の男性はブレスレットをすることには抵抗があった。
【０００４】
また、バンド本体に希土類永久磁石を埋設したものは存在した。例えば、特許文献１のように。
【特許文献１】登録第１４３２６１３号実用新案公報
【０００５】
しかし、このバンドは、希土類永久磁石が装着されており、他のチップを取り付けることは出来なかった。
【考案の開示】
【考案が解決しようとする課題】
【０００６】
そこで、この考案は、ブレスレットの嫌いな男性であっても、容易に装着でき、また、他のチップを自由に選択でき、しかも、そのチップの個数も選択して使用できる時計バンドを開発・提供することにある。
【課題を解決するための手段】
【０００７】
そして、この考案は、時計バンドにおいて、該バンドの中間ジョイント部分の裏側に、それぞれ穴を穿設し、該穴に連続して接着剤溜まりを形成し、穴内に、単品で市販されているトルマリン、チタン、ゲルマニウム等のチップのうち、自分に合ったチップをはめ込み、接着剤を塗布して、バンドの中間ジョイント部分に固着する時計バンドである。
【考案の効果】
【０００８】
この考案によると、時計バンド（Ｘ）において、該バンドの中間ジョイント部分（１）の裏側に、それぞれ穴（２）を穿設し、該穴（２）に連続して接着剤溜まり（２ａ）を形成し、穴（２）内に、トルマリン、チタン、ゲルマニウム等のチップ（Ｙ）をはめ込み、接着剤（Ｚ）を塗布して、バンドの中間ジョイント部分（１）に固着するため、表面から見ると、普通の時計バンドであり、また、裏面には、希望する数のチップ（Ｙ）を選択してはめ込むことができ、さらに、ブレスレットの着用には抵抗のある者であっても、時計バンドであれば何の躊躇もなく着用できる等極めて有益なる効果を奏する。
【考案を実施するための最良の形態】
【０００９】
この考案の一実施例を図面により詳述すると、時計バンド（Ｘ）において、該バンドの中間ジョイント部分（１）の裏側に、それぞれ穴（２）を穿設し、該穴（２）に連続して接着剤溜まり（２ａ）を形成し、穴（２）内に、トルマリンやゲルマニウム等のチップ（Ｙ）をはめ込み、接着剤（Ｚ）を塗布して、バンドの中間ジョイント部分（１）に固着することを特徴とする時計バンドから構成される。
【００１０】
また、穴（２）が、トルマリン、チタン、ゲルマニウム等のチップ（Ｙ）に適合し、かつ、接着剤溜まり（２ａ）と二段の穴に形成されている。
【００１１】
そして、前記穴（２）は、その一例としては、深さ１ミリ位、直径７ミリ〜７．５ミリ程度であり、接着剤溜まり（２ａ）は、６ミリ〜６．５ミリ程度とし、接着剤溜まり（２ａ）の底面の形状は、図４に示すように、平坦、円錐状、椀状等であり、接着剤（Ｚ）の接着効果を高めるものであれば、いずれの形状であってもよい。
【産業上の利用可能性】
【００１２】
この考案は、時計バンドを製造することにより、時計バンドの製造技術を確立し、かつ、実際に製造することにより、産業上の利用可能性を有する。
【図面の簡単な説明】
【００１３】
【図１】この考案の一実施例を示す斜視図である。
【図２】この考案の一実施例を示す一部欠截裏面図である。
【図３】この考案の一実施例を示す断面図である。
【図４】この考案の使用状態を示す断面図である。
【図５】この考案に用いるチップであり、（Ａ）は、その一例であり、（Ｂ）は、他の例でである。
【符号の説明】
【００１４】
Ｘ  時計バンド
１  中間ジョイン
２  穴
２ａ  接着剤溜まり
Ｙ  トルマリン、チタン、ゲルマニウム等のチップ
Ｚ  接着剤
【図１】
0003115352.tif 000003
【図２】
0003115352.tif 000004
【図３】
0003115352.tif 000005
【図４】
0003115352.tif 000006
【図５】
0003115352.tif 000007
(57)【要約】      （修正有）【課題】渡した相手に名刺が不正使用されたとき、不正使用した人物を特定できるようにした名刺であって、もらった時に不快な気分を与えないようなものを提供する。【解決手段】名刺１に透かしインクで固有の識別番号２を入れる。名刺１の裏面には、透かし番号２と同じ番号３ａを印字したラベル３を貼り付けておく。ラベルは名刺から剥がして再び他のものに貼れるように、裏面に粘着剤を塗布しておく。【選択図】図１
0003115360.tif 000002
【実用新案登録請求の範囲】
【請求項１】
名刺本体に固有の識別番号の透かしを入れると共に、同一識別番号の文字を記したラベルを名刺本体に剥離自在に貼付してある名刺。
【考案の詳細な説明】
【技術分野】
【０００１】
この考案は名刺に関し、渡した相手に後で悪用されないようにしたものである。
【背景技術】
【０００２】
人に渡した名刺が、その人に後で悪用されることがある。例えば、その名刺をさらに別の人に差し出して名刺の人物に成りすまし、詐欺等を行うなどである。
【０００３】
従来、名刺に発行日付欄を印刷しておいて、発行するたびに日付を記入するようにしたものがある。名刺に日付が記入されていれば、使用済みの名刺であることが分かり、不正使用しにくい。しかし日付の入った名刺をもらった人は、自分が不正使用するのではないかと疑われたようで、不快な気分にさせられる。
【考案の開示】
【考案が解決しようとする課題】
【０００４】
この考案は、自分の名刺が何者かに不正使用された場合、不正使用した人物を特定できるようにした名刺であって、もらった人に不快な気分を与えないようなものを提供することを課題とする。
【課題を解決するための手段】
【０００５】
この考案の名刺は、名刺本体に固有の識別番号の透かしを入れるとともに、同一識別番号の文字を記したラベルを名刺本体に剥離自在に貼り付けたものである。
【０００６】
使用法は、名刺交換するとき、識別番号ラベルを剥がしてから相手に渡す。名刺の識別番号は透かしで入っており、もらった人はその存在に気が付かないので、不快感を与えることがない。剥がしたラベルは相手からもらった名刺に貼り付けて保存するようにする。相手に渡した名刺が不正使用された場合、騙された人は名刺に記載されている人のところに苦情を言って来るのが普通である。そのときは、不正使用された名刺に透かしとして記録されている識別番号を読み取り、保存している他人の名刺の中から同じ識別番号ラベルが貼られているものを探し出すことにより、誰が不正使用したか特定できる。
【０００７】
以上のように、この考案の名刺は、不正使用した者を簡単に特定することができ、被害の回復が可能になる効果がある。
【考案を実施するための最良の形態】
【０００８】
名刺の印刷は、１枚ずつ印刷する方法のほか、１枚の紙に例えば１０枚というように何枚分かの印刷を一度に印刷し、後で切り分ける方法がある。いずれの場合も、印刷用紙に透かしインクを用いて識別番号を入れておき、図１に示すように、刷り上った１枚１枚の名刺１に固有の識別番号２が透かしとして入るようにする。
【０００９】
１枚１枚の名刺１の裏面には、透かしの識別番号２と同じ番号３ａを印字したラベル３を剥離自在に貼付する。ラベルには、識別番号のほか、発行日付記入欄３ｂを設けてもよい。ラベルは名刺から剥がして再び他のものに貼れるように、裏に粘着剤４を塗布しておく。
【００１０】
名刺交換するときは、貼ってあるラベル３を剥がしてから名刺１を相手に渡し、相手方にもらった名刺は、剥がしたラベル３を貼り付けて保存するようにする。ラベルの日付欄３ｂに発行年月日を記入しておいてもよい。なお、相手から名刺をもらえなかったときは、相手の名前を書き入れてラベル３をノートなどに貼って保存する。
【００１１】
このものでは、渡した名刺を相手が後で不正使用した場合、その名刺に記されている識別番号から、不正使用した者を簡単に突き止めることができる。また、名刺に付した識別番号は透かしになっているので、渡したとき相手に不快感を与えることがない。
【図面の簡単な説明】
【００１２】
【図１】名刺の表および裏面図である。
【符号の説明】
【００１３】
１    名刺
２    透かしの識別番号
３    ラベル
３ａ  ラベル上の識別番号
３ｂ  発行日付記入欄
４    粘着剤
【図１】
0003115360.tif 000003
(57)【要約】【課題】集合住宅のバルコニーの床レベルを室内空間（居室）の床レベルより下げて施工し、居室からの景観（見晴らし）を拡げ、開放感を得る。【解決手段】集合住宅１のバルコニー構造Ｘが、少なくとも１階を除く上層階の住戸について施工され、居室11の床レベルに対して、バルコニー２の床レベル21を下げて面形成し、かつ、接続部に上がり框22を段形成したものとされる。ここで、バルコニー２の床面形成位置は、居室11内の窓際から少なくとも座位姿勢で臨むバルコニー２の手摺上端231 への視線が水平より下方に向く俯角αとなるような下げ幅Ｄを確保している。【選択図】      図２
0003115313.tif 000002
【実用新案登録請求の範囲】
【請求項１】
集合住宅の外壁に一端を固定支持され、外壁に沿って床面を外方に張り出して形成される集合住宅のバルコニー構造において、
少なくとも１階を除く上層階の住戸について施工され、居室の床レベルに対して、バルコニーの床レベルを下げて面形成し、かつ、接続部に上がり框を段形成してなり、前記バルコニーの床面形成位置が、前記居室内の窓際から少なくとも座位姿勢で臨む前記バルコニーの手摺上端への視線が水平より下方に向く俯角となるような下げ幅を確保するものであることを特徴とする集合住宅のバルコニー構造。
【請求項２】
バルコニーの手摺高さが１１００〜１２００ｍｍであり、バルコニーの床面形成位置を規定する下げ幅が４００±１００ｍｍである請求項１記載の集合住宅のバルコニー構造。
【考案の詳細な説明】
【技術分野】
【０００１】
本考案は、集合住宅の外壁に一端を固定支持され、外壁に沿って床面を外方に張り出して形成される集合住宅のバルコニー構造に係り、詳しくは、バルコニーの床レベルを室内の床レベルより下げて施工し、居室からの景観を拡げるようにした集合住宅のバルコニー構造に関する。
【背景技術】
【０００２】
従来より、バリアフリーの一環として、バルコニーの床レベルを室内の床レベルと同等に形成し、スムーズな出入りを実現しようとする提案があった。（例えば、特許文献１、２を参照。）
【特許文献１】特開２００３−４１６５１号公報
【特許文献２】特開２００２−２０６２７８号公報
【０００３】
また、戸建て住宅では、インナーバルコニーの床面を２階床面より下げて形成したものがあるが、目的効果においては集合住宅のバルコニー構造とは無関係である。（例えば、特許文献３、４を参照。）
【特許文献３】特開２００１−３２５４３号公報
【特許文献４】特開２０００−３２０１６６号公報
【０００４】
ところで、従来的な集合住宅のバルコニー構造では、室内床面とバルコニー床面がほぼ同一レベル（１０ｃｍ以内）であり、コンクリート手摺の場合は居室から座位姿勢（車椅子の座位姿勢を含む）での景観（俯角方向の視線）が制限され、居室からの開放感に欠けるという問題があった。
【考案の開示】
【考案が解決しようとする課題】
【０００５】
解決しようとする問題点は、集合住宅のバルコニーの手摺が居室からの視野を遮る点にある。すなわち、居室から座位姿勢（車椅子の座位姿勢を含む）での景観（俯角方向の視線）が制限され、居室からの開放感に欠けるという問題点を有している。
【０００６】
本考案は、このような事情に鑑みなされたものであって、上記課題を解消し、バルコニーの床レベルを室内の床レベルより下げて施工し、居室からの景観を拡げるようにした集合住宅のバルコニー構造に関する。
【課題を解決するための手段】
【０００７】
課題を解決するため本考案は、集合住宅の外壁に一端を固定支持され、外壁に沿って床面を外方に張り出して形成される集合住宅のバルコニー構造の改善であって、
少なくとも１階を除く上層階の住戸について施工され、居室の床レベルに対して、バルコニーの床レベルを下げて面形成し、かつ、接続部に上がり框を段形成してなり、前記バルコニーの床面形成位置が、前記居室内の窓際から少なくとも座位姿勢で臨む前記バルコニーの手摺上端への視線が水平より下方に向く俯角となるような下げ幅を確保するものであることを特徴とするものである。
【考案の効果】
【０００８】
この構成によれば、集合住宅の住戸に適用可能で、居室からの景観が拡がり、バルコニーに出なくても見晴らしがよいので明るく、かつ開放感が得られる。
【考案を実施するための最良の形態】
【０００９】
本考案を実施するための最良の形態を、一実施例（以下、実施例バルコニー構造。）に基づき添付図面を参照して以下説明する。
【００１０】
図１は、実施例バルコニー構造を有する集合住宅の断面視説明図である。参考までに寸法を表示した。
【００１１】
図２は、実施例バルコニー構造を示す断面視説明図である。あわせて居室との位置関係を示している。
【００１２】
図３は、実施例バルコニー構造を示す平面視説明図である。あわせて居室との位置関係を示し、参考までに寸法を表示している。
【００１３】
図１に示すように、実施例バルコニー構造Ｘは、集合住宅１の外壁に一端を固定支持され、外壁に沿って床面を外方に張り出して形成されるものであり、少なくとも１階を除く上層階の住戸について施工される。
【００１４】
ここで、居室11の床レベルに対して、バルコニー２の床レベル21を下げて面形成し、かつ、接続部に上がり框22を段形成している。
【００１５】
図２及び図３に示すように、バルコニー２の床面形成位置は、居室11内の窓際から少なくとも座位姿勢で臨むバルコニー２の手摺上端231 への視線が水平より下方に向く俯角αとなるような下げ幅Ｄを確保するものである。そこで、本考案者は、このバルコニー構造Ｘをシッティングビューバルコニーと呼称している。
【００１６】
具体的な数値範囲を示すと、バルコニー２の手摺23高さが１１００〜１２００ｍｍであり、バルコニー２の床面21形成位置を規定する下げ幅Ｄが４００±１００ｍｍである。
【００１７】
なお、このバルコニー構造Ｘを採用した階下の室内空間12の天井高さは４００±１００ｍｍ（下げ幅相当分）だけ高くすることになる。
【産業上の利用可能性】
【００１８】
本考案は、集合住宅の住戸に適用可能で、居室からの景観を拡げ、明るく、かつ開放感を得られるシッティングビューバルコニーとして、実用的で利用価値があり、産業上有益である。
【図面の簡単な説明】
【００１９】
【図１】実施例バルコニー構造を有する集合住宅の断面視説明図である。
【図２】実施例バルコニー構造を示す断面視説明図である。
【図３】実施例バルコニー構造を示す平面視説明図である。
【符号の説明】
【００２０】
１  集合住宅
11  室内空間（居室）
12  階下の室内空間（居室）
２  バルコニー
21  床面（床レベル）
22  上がり框
23  手摺
231 手摺上端
α  俯角
Ｄ  下げ幅
Ｘ  バルコニー構造（シッティングビューバルコニー）
【図１】
0003115313.tif 000003
【図２】
0003115313.tif 000004
【図３】
0003115313.tif 000005
(57)【要約】【課題】  従前の滑り止めのバスマットの改良に関し、いわば癒し系のバスマットを提供する。【解決手段】  バスマットの本体となる平板体にシリコンゴムなどを採用し、併せて同平板体に蓄光材を混入する。浴槽内で消灯して入浴すると水面が例えばブルーに光り、いわばリラクゼーション効果が得られる。更に吸盤、表裏面を貫通する孔を設けることで安全で使い勝手の良いマットが実現出来た。【選択図】  図１
0003115400.tif 000002
【実用新案登録請求の範囲】
【請求項１】
シリコンゴム、天然ゴム又はエチレンプロピレンを主成分とする平板体の中に蓄光材を混入してなるバスマット。
【請求項２】
前記平板体の一面に多数の吸盤を設けた請求項１記載のバスマット。
【請求項３】
前記平板体に多数の貫通孔を設けた請求項１又は２に記載のバスマット。
【考案の詳細な説明】
【技術分野】
【０００１】
本考案は、一般に浴槽内の底面に敷いて使用するバスマットに関する。
【背景技術】
【０００２】
バスマットは、種々のものが市販され使われているが、蓄光材（光のエネルギーを吸収し夜間や光のない状況になると発光する特性をもつ材料）を使用したバスマットは未だ知られていない。
【０００３】
一方、蓄光材を使用した玄関マットや階段マットは提案されている（例えば、特許文献１、２参照）。前者は、玄関マット本体の周囲に蓄光材などを含有した枠体を設けたり、又はマット本体の基布に所望の模様に応じて形成された切欠部に蓄光材などを含有した弾性材料を充填して、いずれもマット配置の視認を容易にしたり光による高い意匠効果を得ようとするものである。
【０００４】
後者は、階段マット本体に蓄光部分を付加したり、又蓄光材を配合した滑りとめ部分を付加し、暗闇でも位置確認を可能にし滑りや躓きの危険のない階段マットを提供している。
【特許文献１】実用新案登録第３０５０１０５号公報
【特許文献２】実用新案登録第３０８３８６６号公報
【考案の開示】
【考案が解決しようとする課題】
【０００５】
本考案は、上述したような玄関マットや階段マットでの蓄光材の効能とは異なる独特の効果を得ようとし、蓄光材をバスマットに使用するものである。
【課題を解決するための手段】
【０００６】
請求項１に記載の考案は、シリコンゴム、天然ゴム又はエチレンプロピレンを主成分とする平板体の中に蓄光材を混入してなるバスマットを提供する。
【０００７】
本バスマットによれば、例えば蛍光灯の下で１０分〜１５分の蓄光で、４〜５時間光り続けるので、癒された雰囲気をかもし出すことができる。この場合、シリコンゴムが耐久性及び減臭性の点から一番優れている。
【０００８】
請求項２に記載の考案は、前記平板体の一面に多数の吸盤を設けた請求項１記載のバスマットであり、上述に加え、吸盤を設けたことにより浴槽に沈めた際に浮き上ることなくピッタリと底面に吸着し安全に使用することができる。
【０００９】
請求項３に記載の考案は、前記平板体に多数の貫通孔を設けた請求項１又は２に記載のバスマットであり、上述に加え、表裏両面を貫通する多数の貫通孔を設置することにより、湯水の行き来（流通）が良くなり、浴槽内使用時に限らずシャワー浴の安全マットとしての使用時に好都合である。
【考案の効果】
【００１０】
本考案は、蓄光材をバスマットに混入するもので、蛍光灯など光源のあるところで１０〜１５分程度放置するだけで、蓄光効果が得られ、浴槽内で電気を消して入浴すると、例えば幻想的なブルーの淡い光に包まれ癒された雰囲気をかもし出し、いわばリラクゼーション効果が得られる。また、吸盤又は貫通孔を設けることにより前述のとおりの効果がそ
れぞれ得られる。
【考案を実施するための最良の形態】
【００１１】
本考案の実施例につき、図面を参照しながら以下説明する。図１は、本考案の一実施例におけるバスマットの上面図であり、左上又は右下を除いてその他の部分は図示を省略しているが、現実には左上又は右下と同じような構成となっている。図２は、同実施例におけるバスマットの一部拡大下面図であり、図３は、図２のＡ−Ａ断面図である。
【００１２】
各図において、１はバスマット本体となる平板体で、シリコンゴムを使用した。平板体１の材料はシリコンゴムに限らず、天然ゴム、エチレンプロピレンも使用し得るが、シリコンゴムは耐久性、臭いの発生が少ないという、いわゆる減臭性に優れている。平板体１はシリコンゴムの液状体を型に入れ成型するが、成型に先立ち粉末の蓄光材を液状シリコンゴムに混入しておく、混入の状態は均質に分散しても、又、絵柄になるように偏在させても良く、種々の変更が可能である。
【００１３】
２は、平板体１の底面となる一面に多数設けた吸盤であり、浴槽に沈めた際に底面にピッタリと吸着するように配されている。３は、平板体１の表裏両面を貫通する貫通孔であり、湯水の行き来を良くする効果を奏する。
【００１４】
本実施例のバスマットの大きさは、縦約３４ｃｍ、横約６３ｃｍ、厚さ約５ｍｍ、重量は約６７０ｇであり、吸盤の外径は約７．５ｍｍ、吸盤間の間隔は左右、上下方向とも約２３ｍｍ、貫通孔の外径は約５ｍｍ、貫通孔間の間隔は左右、上下方向とも約２３ｍｍであるが、マットの大きさ、重量、又は、吸盤、貫通孔の形状、配置などは任意に変更しうることはいうまでもない。又、本マットの中央部分については貫通孔を省略し、この中央部分に絵柄、ブランド名などを表わしても良い。
【図面の簡単な説明】
【００１５】
【図１】本考案の一実施例におけるバスマットの上面図である。
【図２】同上実施例におけるバスマットの一部拡大下面図である。
【図３】同上実施例における図２のＡ−Ａ断面図である。
【符号の説明】
【００１６】
１  平板体
２  吸盤
３  貫通孔
【図１】
0003115400.tif 000003
【図２】
0003115400.tif 000004
【図３】
0003115400.tif 000005
(57)【要約】      （修正有）【課題】一種の自動車ランプ体の防湿構造で、公知のランプ体が具備しない防湿設計を具え、ランプ体内に浸入する水蒸気や水分によりランプ体の発光效果が低下するという欠点を改善可能であるランプ体の防湿構造を提供する。【解決手段】主にランプ台２１内には発光部品２２を結合する回路板２３を設置し、後蓋及び透光カバー２４を組み合わせ、該ランプ台内の回路板底側には吸水物件３０を結合し、防湿機能を具えたランプ体構造を構成する。これによりランプ台内の吸水物件はランプ台と透光カバー間に浸入する水蒸気や水分と湿度を吸収し、湿気が透光カバー上に凝結し曇ることを防止する。こうして、ランプ体は最良の発光輝度效果を発揮し、また回路が湿度の影響を受け故障することを防止し、耐久性を向上させることができる。【選択図】図３
0003115397.tif 000002
【実用新案登録請求の範囲】
【請求項１】
主にケース体を含むランプ台内に発光部品を結合する回路板を設置し、さらに透光カバー及び外蓋などを組み合わせ構成し、該ランプ台内の回路板底側には吸水物件を結合することを特徴とするランプ体の防湿構造。
【請求項２】
前記吸水物件は一層の不織布であることを特徴とする請求項１記載のランプ体の防湿構造。
【請求項３】
前記吸水物件は固定片により固定、組み合わせることを特徴とする請求項１記載のランプ体の防湿構造。
【請求項４】
前記固定片は収容室を凹設し、前記吸水物件を収容、固定することを特徴とする請求項３記載のランプ体の防湿構造。
【考案の詳細な説明】
【技術分野】
【０００１】
本考案は一種のランプ体の防湿構造に関する。特に一種の防湿設計を具えたランプ体組合せ構造で、全く新しい設計であるランプ体の防湿構造に係る。
【背景技術】
【０００２】
白熱灯を例とする図１に示すように、白熱灯、補助ランプ体など自動車のランプ体の基本構造は、該ランプ体10において反射構造を具えたランプ台11内に発光部品121を結合した回路板12を設置し、透光カバー13及び外蓋14を相互に対応させ嵌合、蓋合し組み合わせる。
【考案の開示】
【考案が解決しようとする課題】
【０００３】
公知構造には以下の欠点があった。
すなわち、各種公知のランプ体においては水蒸気や水分が透光カバーに浸入し凝結すると、該透光カバーが曇り、光線の透射或いは屈折反射の障害になってしまい、ランプ体の発光效果と輝度は低下してしまう。
また公知のランプ体構造には防湿設計がないため、水蒸気や水分が内部に浸入し透光カバー内側に凝結する他、回路板は湿度の影響を受け回路はショートし故障し、或いは回路が錆びて故障してしまい、ランプ体の耐久性が低くなってしまう。
本考案は上記構造の問題点を解決したランプ体の防湿構造を提供するものである。
【課題を解決するための手段】
【０００４】
上記課題を解決するため、本考案は下記のランプ体の防湿構造を提供する。
それは主にランプ体内の水蒸気や水分或いは湿気を吸収、調節可能で、これにより透光カバーは乾燥状態を保持し、ランプ台内の光源は一切の障害がない状態で透射或いは屈折反射され、最良の輝度と発光效果を達成するランプ体の防湿構造を提供し、
それはまた水蒸気や水分の回路板における凝結を防止し、回路板は乾燥を保持し、回路が湿度の影響を受けショート或いは故障することを防止し、ランプ体の耐久性を向上させることができるランプ体の防湿構造を提供し、
すなわちそれはランプ台内に発光部品を結合した回路板を設置し、さらに透光カバー及び後蓋を組み合わせ構成し、該ランプ台内の回路板底側には不織布層を結合した吸水物件を組合せ、さらに該吸水物件は固定片により固定することを特徴とするランプ体の防湿構造である。
【考案の効果】
【０００５】
上記のように、本考案はランプ体内の回路板底側に嵌設する吸水物件により、ランプ体内の水蒸気や水分が透光カバーにおいて凝結し、或いは回路板が湿度の影響を受けることを防止し、こうして発光部品は最良の発光效果及び高い耐久性を獲得することができる。
【考案を実施するための最良の形態】
【０００６】
図２、３に示すように、本考案は白熱灯20の内部構造中に吸水物件30を対応させ構成する。
該白熱灯20は屈折反射凹面である嵌合孔211を具えるランプ台21内に発光部品22を結合する回路板23、吸水物件30(一種の不織布層構造など)及び固定片40を対応させ設置し、該ランプ台21をケース型透光カバー24内に嵌入し、最後に脚台を結合する外蓋25と透光カバー24により相互に対応させ嵌合、蓋合し組み合わせる。
該構造は該吸水物件30を該白熱灯20の回路板23の背面側と該固定片40間に配置し、防湿機能を具えた白熱灯20構造を組合せる。
該固定片40は収容室41を凹設し、該吸水物件30を設置、固定し、これにより該吸水物件30の不織布層構造はその吸水機能を発揮する。こうして該白熱灯20内部の水蒸気や水分が浸入し該透光カバー24の内側面に凝結するのを防止する。よって該透光カバー24は透明な状態を保持し、該発光部品22の光線は一切の障害なく透射或いは屈折反射され、ランプ体は最良の輝度と発光效果を発揮することができる。
また該回路板23底側に位置する不織布層である吸水物件30により、水蒸気や水分の該回路板23上における凝結を防止し、その乾燥状態を保持する。こうして、回路が湿度によりショート或いは故障することはなくなり、ランプ体の耐久性が向上する。
【０００７】
続いて図４に示すように、本考案を補助ランプ体内に組合せる場合には、該補助ランプ体50は前方が開口状となったケース状のリング型ランプ台51内に順番に発光部品53を配列した回路板52を嵌合、組み合わせる。次に屈折反射凹面を具えた透光カバー54を蓋合、組み合わせ、該ランプ台51外部には外蓋55を係合し構成する。
該回路板52背面側には不織布構造である吸水物件30を設置し、防湿機能を具えた補助ランプ体を構成する。こうして該吸水物件30によりランプ体内の水蒸気や水分及び湿気の影響を受けることなく、該透光カバー54は透明な状態を保持し、光源は一切の障害がない状態で屈折反射し最良の輝度と発光效果を発揮する。さらに、回路は湿気によりショート或いは故障することがなくなり、ランプ体の耐久性を向上させることができる。
【図面の簡単な説明】
【０００８】
【図１】公知のランプ体の組合せ平面指示図である。
【図２】本考案の白熱灯における立体分解図である。
【図３】本考案の白熱灯における組合せ断面指示図である。
【図４】本考案を補助ランプ内に組合せる実施例平面指示図である。
【符号の説明】
【０００９】
10  ランプ体
11、21  ランプ台
12、23、52  回路板
20  白熱灯
121、22、53  発光部品
13、24、54  透光カバー
14、25、55  外蓋
50  補助ランプ体
51  ランプ台
30  吸水物件
40  固定片
41  収容室
211  嵌合孔
【図１】
0003115397.tif 000003
【図２】
0003115397.tif 000004
【図３】
0003115397.tif 000005
【図４】
0003115397.tif 000006
(57)【要約】【課題】  利便に製造及び組立が可能で、コストも安く、大衆が自由に楽しめる、快適に踏める足踏み装置を提供する。【解決手段】  ベース１０は、上へ傾斜しかつ外へ傾斜する二つの軸心１３が設置され、二枚の踏み板２０の前端２１を枢設することが可能であり、踏み板２０はベース１０に対応して傾斜することが可能であり、踏み板２０の間に、リンクロッド（link rod）３０が配置され、リンクロッド（link rod）３０の両端を経由して踏み板２０を支持する。【選択図】    図２
0003115342.tif 000002
【実用新案登録請求の範囲】
【請求項１】
ベース（１０）は、上へ傾斜しかつ外へ傾斜する二つの軸心（１３）が設置され、二枚の踏み板（２０）の前端（２１）を枢設することが可能であり、
踏み板（２０）はベース（１０）に対応して傾斜することが可能であり、
踏み板（２０）の間に、リンクロッド（link rod）（３０）が配置され、リンクロッド（link rod）（３０）の両端を経由して踏み板（２０）を支持していることを特徴とする足踏み装置。
【請求項２】
リンクロッド（３０）の両端に、それぞれパッド（３２）が設けられ、パッド（３２）に少なくとも一つの平面部位（３３）が設置されて、踏み板（２０）が取り付けられ、
少なくとも一つの制動機構（２２）が踏み板（２０）とベース（１０）の間との間に設置され、制動機構（２２）に、弾性パッド（２３）が設けられ、弾性パッド（２３）に貫通孔（２４）が設けられ、軸心（２５）が取り付けられ、
ベース（１０）の両側に、少なくとも一つの連結機構（４０）が配置され、少なくとも一本の弾性紐（４２）が連結されていることを特徴とする請求項１に記載の足踏み装置。
【考案の詳細な説明】
【技術分野】
【０００１】
本考案は快適に踏める足踏み装置に関するものである。
【背景技術】
【０００２】
従来から、既存の足踏み装置は通常、二枚の踏み板を二つの傾斜軸心に連結することにより、踏み板がベースに対応して傾斜できる。
ところが従来の足踏み装置は、相当に複雑な連結構造で、踏み板を連結しなければならないため、足踏み装置の製造コストは非常に高い。
【考案の開示】
【考案が解決しようとする課題】
【０００３】
本考案の主な目的は、利便に製造及び組立が可能で、コストも安く、大衆が自由に楽しめる、快適に踏める足踏み装置を提供することにある。
【課題を解決するための手段】
【０００４】
上記目的を達成するため本考案に係る足踏み装置では、ベースは、上へ傾斜しかつ外へ傾斜する二つの軸心が設置され、二枚の踏み板の前端を枢設することが可能であり、踏み板はベースに対応して傾斜することが可能であり、踏み板の間に、リンクロッド（link rod）が配置され、リンクロッド（link rod）の両端を経由して踏み板を支持する。
これにより、その結構がコンパクトに簡易化するので、利便に製造及び組立が可能なばかりでなく、コストもやすいし、大衆が自由に楽しめる。
【考案を実施するための最良の形態】
【０００５】
本考案の目的、特徴および効果などをご了解なさるために、以下、さらに具体的な実施例に図面をあわせて詳しく説明してみよう。
本考案の一実施例による足踏み装置は、主に支持フレーム１１がベース１０から上へ延び、計数器又は制御装置１２が取り付けられる。上へ傾斜し、外へ傾斜する二つの軸心１３を支持フレーム１１又はベース１０に設置するので、二枚の踏み板２０の前端２１を枢設することができる。また、踏み板２０はベース１０に対応して傾斜することができる。踏み板２０は下へ踏まれているうちに、外へ移動できる。弾性ユニットやエアやハイドロリックシリンダーなど制動機構は踏み板２０とベース１０との間に取り付けられるので、踏み板２０に制動力を施す。
リンクロッド３０は、ベース１０又は支持フレーム１１に設けられる。その両端に、それぞれパッド３２を配置し、踏み板２０を支持する。各パッド３２は、少なくとも一つの平面部位３３が設置されるので、平穏に踏み板２０を支持する。
【０００６】
図４に示すように、制動機構２２としては、ＰＵ又は弾性パッド２３を採用する。それは、貫通孔２４を持ち、軸心２５が取り付けられる。その軸心２５は二酸化ケイ素で作られ、踏み板２０とベース１０との間に弾性の連結構造を形成する。また、ベース１０の両側に、少なくとも一つの連結機構４０を設置する。例えば、二つのプラグ（plug）４０又は二つのフック（hook）４１を応用する。少なくとも一本の弾性紐４２の一端を連結ユニット４３で、プラグ（plug）４０又はフック（hook）４１に連結し、もう一端に、ハンドル４４を配置することにより、ユーザはそれを握って使用することができる。
操作の場合に、ユーザは踏み板２０を下へ踏んでいるうちに、それを外へ移動させる。また、リンクロッド３０が踏み板２０に連動するので、一枚の踏み板２０を下へ踏んでいるうちに、もう一枚の踏み板２０を上へ移動させる。
【図面の簡単な説明】
【０００７】
【図１】本考案の一実施例による足踏み装置の局部分解図である。
【図２】本考案の一実施例による足踏み装置の前視立体図である。
【図３】本考案の一実施例による足踏み装置の後視立体図である。
【図４】本考案の一実施例による足踏み装置の結構のもう一つの局部分解図である。
【符号の説明】
【０００８】
１１  支持フレーム、１０  ベース、１２  計数器又は制御装置、１３  軸心、２０  踏み板、２１  前端、２５  軸心、３０  リンクロッド、３２  パッド、３３  平面部位、２２  制動機構、２３  弾性パッド、２４  貫通孔、４０  プラグ、４１  フック、４２  弾性紐、４３  連結ユニット、４４  ハンドル
【図１】
0003115342.tif 000003
【図２】
0003115342.tif 000004
【図３】
0003115342.tif 000005
【図４】
0003115342.tif 000006